(57)【要約】【課題】形象物の動作に基づく楽しさおよび面白さを遊戯者に感じさせることができる動作玩具を提供する。【解決手段】動作玩具は、形象物１０と、形象物１０が設けられた支持部２０と、支持部２０に設けられた操作部３１とを備えており、形象物１０の一部は、操作部３１への操作によって第１位置（直立位置）から第２位置（傾斜位置）に変化し得るように構成されている。【選択図】図５
2018192344.tif 000002
【特許請求の範囲】
【請求項１】
形象物と、前記形象物が設けられた支持部と、前記支持部に設けられた操作部とを備え、
前記形象物は、各々の一端が前記支持部に設けられた第１部分と第２部分を含み、
前記操作部は、前記第１部分と前記第２部分との間を通過する走行玩具によって操作可能に設けられ、
前記形象物の一部は、前記走行玩具による前記操作部への操作によって第１位置から前記走行玩具に近付く第２位置に変化し得るように構成されている、
動作玩具。
【請求項２】
前記形象物は、第１の部位、及び前記第１部分および前記第２部分を含む第２の部位を含み、
前記形象物の一部である第１の部位は、前記第２の部位に回動可能に設けられている、
請求項１に記載の動作玩具。
【請求項３】
前記第１部分及び前記第２部分の各々の一端は、前記支持部に固設されている、
請求項２に記載の動作玩具。
【請求項４】
前記第１位置は、前記第１の部位が前記第２の部位に対し直立した位置であり、
前記第２位置は、前記第１の部位が前記第２の部位に対し傾斜した位置である、
請求項２または３に記載の動作玩具。
【請求項５】
前記傾斜は、前記第１の部位が前記走行玩具に近付く方向の傾斜である、
請求項４に記載の動作玩具。
【請求項６】
前記形象物は、少なくとも胴部と前記胴部に設けられた第１脚部および第２脚部とを有し、前記第１脚部および前記第２脚部が前記第１部分および前記第２部分に相当し、前記胴部が前記第１の部位に相当する、
請求項２〜５のいずれか１項に記載の動作玩具。
【請求項７】
前記形象物は、前記第１の部位に変位可能に設けられた第３部分をさらに有する、
請求項６に記載の動作玩具。
【請求項８】
前記第３部分は、前記第１の部位の前記第１位置から前記第２位置への変化による慣性力よって前記第１の部位に変位可能に設けられている、
請求項７に記載の動作玩具。
【請求項９】
前記第３部分は、前記第１の部位が前記第１位置から前記第２位置に変化したときに、前記第１の部位よりも前記走行玩具に近付くような形態を有する、
請求項７または８に記載の動作玩具。
【請求項１０】
前記形象物は、前記胴部に設けられた第１腕部と第２腕部と頭部とをさらに有し、
前記第１腕部および前記第２腕部は、前記第３部分に相当する、
請求項７〜９のいずれか１項に記載の動作玩具。
【請求項１１】
前記第１部分と前記第２部分との間には、前記走行玩具用の軌道部が設けられている、
請求項２〜１０のいずれか１項に記載の動作玩具。
【請求項１２】
前記操作部は、前記軌道部を走行する前記走行玩具が前記形象物を通過する前に前記走行玩具によって操作されるように前記支持部に設けられている、
請求項１１に記載の動作玩具。
【請求項１３】
前記操作部は、前記軌道部を走行する前記走行玩具を遮るように、かつ、前記走行玩具によって押し退けられるように前記支持部に設けられている、
請求項１１または１２に記載の動作玩具。
【請求項１４】
前記操作部は、前記形象物の前記第１の部位が前記第１位置から前記第２位置に変化したときに、前記第２位置に変化した前記第１の部位の下側に位置するように前記支持部に設けられている、
請求項２〜１３のいずれか１項に記載の動作玩具。
【請求項１５】
前記操作部は、前記支持部に回動可能に設けられている、
請求項２〜１４のいずれか１項に記載の動作玩具。
【請求項１６】
前記形象物と前記支持部の内部には、前記操作部の変位に基づいて前記形象物の前記第１の部位を前記第１位置から前記第２位置に変化させる動作機構が設けられている、
請求項１５に記載の動作玩具。
【請求項１７】
前記動作機構は、円形部材の周囲に間隔が異なるように配置された複数の突起を有する回転部材と、前記複数の突起の何れかとの直接的又は間接的な当接により前記第１の部位を前記第１位置から前記第２位置に変化させる動作部材と、を含む、
請求項１６に記載の動作玩具。
【請求項１８】
前記操作部への操作が複数回繰り返されたことを条件として、前記形象物の一部は前記第１位置から前記第２位置へ変化し得る、
請求項１〜１７のいずれか１項に記載の動作玩具。
【請求項１９】
前記操作部への操作によって前記形象物の一部が前記第１位置から前記第２位置へ変化する場合と、前記操作部への操作によって前記形象物の一部が前記第１位置から前記第２位置へ変化しない場合とが含まれる、
請求項１〜１８のいずれか１項に記載の動作玩具。
【請求項２０】
前記動作機構は、前記形象物の前記第１の部位を前記第１位置に保持し、かつ、前記第１位置の保持を解除して前記第２位置への変化を許容する位置制御機構を含む、
請求項１６または１７に記載の動作玩具。
【請求項２１】
前記動作機構は、前記形象物の前記第１の部位を前記第１位置から前記第２位置に向かって付勢する部材を含む、
請求項１６または１７のいずれか１項に記載の動作玩具。
【発明の詳細な説明】
【技術分野】
【０００１】
本発明は、形象物に動作を生じさせる動作玩具に関する。
【背景技術】
【０００２】
後記特許文献１には、レール上を走行する電車玩具によって踏切部材を動作させ、この動作によって遮断アームを下げるように構成された軌道玩具が開示されている。しかしながら、この軌道玩具は、電車が踏切を通過するときに電車の横で遮断機（形象物）の遮断棒が下がる様子を遊戯者に見せることを主眼としたものである。
【先行技術文献】
【特許文献】
【０００３】
【特許文献１】特開２０００−２７１３５１号公報
【発明の概要】
【発明が解決しようとする課題】
【０００４】
本発明が解決しようとする課題は、形象物の動作に基づく楽しさおよび面白さをより強く遊戯者に感じさせることができる動作玩具を提供することにある。
【課題を解決するための手段】
【０００５】
本発明に係る動作玩具は、形象物と、前記形象物が設けられた支持部と、前記支持部に設けられた操作部とを備え、前記形象物は、各々の一端が前記支持部に設けられた第１部分と第２部分を含み、前記操作部は、前記第１部分と前記第２部分との間を通過する走行玩具によって操作可能に設けられ、前記形象物の一部は、前記走行玩具による前記操作部への操作によって第１位置から前記走行玩具に接近する第２位置に変化し得るように構成されている。
【発明の効果】
【０００６】
本発明に係る動作玩具によれば、形象物の動作に基づく楽しさおよび面白さを遊戯者に感じさせることができる。
【図面の簡単な説明】
【０００７】
【図１】図１（Ａ）は本発明を適用した動作玩具の前面図、図１（Ｂ）は同動作玩具の上面図、図１（Ｃ）は同動作玩具の右側面図、図１（Ｄ）は同動作玩具の左側面図である。
【図２】図２は図１に示した動作玩具の使用例の説明図である。
【図３】図３は図１に示した動作玩具の使用例の説明図である。
【図４】図４は図２および図３に示した使用例における形象物の基本動作の説明図である。
【図５】図５は図２および図３に示した使用例における形象物の基本動作の説明図である。
【図６】図６（Ａ）〜図６（Ｉ）は図１に示した動作玩具の動作機構と腕部支持機構の説明図である。
【図７】図７は図６に示した動作機構による形象物の動作の説明図である。
【図８】図８は図６に示した動作機構による形象物の動作の説明図である。
【図９】図９は図６に示した動作機構による形象物の動作の説明図である。
【図１０】図１０（Ａ）および図１０（Ｂ）は図６に示した腕部支持機構による腕部の動作の説明図である。
【発明を実施するための形態】
【０００８】
以下、図１〜図１０を用いて、本発明を適用した動作玩具について説明する。この説明では、便宜上、図１（Ａ）の手前側を前、奥側を後、左側を左、右側を右、上側を上、下側を下と表記する。また、図中の＋印は回動軸線の位置を示す。
【０００９】
《動作玩具の外観構成：図１を参照》
動作玩具は、第１の部位と第２の部位とを有する形象物１０と、形象物１０が設けられた支持部２０と、支持部２０に設けられた操作部３１とを備えている。
【００１０】
支持部２０は、底部２１と、底部２１上の左右両側に設けられた第１頂部２２および第２頂部２３と、底部２１の第１頂部２２と第２頂部２３との間に設けられた軌道部２４とを有している。軌道部２４は後記走行玩具ＭＴ（図２〜図５を参照）が走行する部位であり、その上面には走行玩具ＭＴの走行方向を案内する２本の溝２４ａが形成されている。
【００１１】
形象物１０は、胴部１１と、胴部１１の上端に設けられた頭部１２と、胴部１１の上部の左右両側に胴部に対して回動可能に設けられた第１腕部１３および第２腕部１４と、胴部１１の下部の左右両側に設けられた第１脚部１５および第２脚部１６とを有している。この形象物１０は、好ましくはアニメーションや漫画や小説等に登場するキャラクターの他、動物等を模したものである。ちなみに、第１脚部１５および第２脚部１６は形象物１０の第２の部位に相当し、胴部１１は形象物１０の第１の部位に相当し第１脚部１５および第２脚部１６に対して回動可能である。
【００１２】
この形象物１０の第１脚部１５の下端は支持部２０の第１頂部２２の上端に固定された状態で設けられ、かつ、第２脚部１６の下端は支持部２０の第２頂部２３の上端に固定された状態で設けられている。詳しくは、形象物１０は、支持部２０の軌道部２４を走行する後記走行玩具ＭＴ（図２〜図５を参照）が第１脚部１５と第２脚部１６との間を通過できるように、支持部２０に設けられている。
【００１３】
操作部３１は、支持部２０の軌道部２４を走行する後記走行玩具ＭＴ（図２〜図５を参照）が、形象物１０を通過する前に走行玩具ＭＴによって操作されるように支持部２０に回動可能に設けられている。詳しくは、操作部３１は、略矩形板状を成し、軌道部２４を走行する走行玩具ＭＴを遮るように、かつ、走行玩具ＭＴによって押し退けられるようにその一側を支持部２０に回動可能に設けられている。また、操作部３１は、後記《図２および図３に示した使用例における形象物の基本動作：図４および図５を参照》の説明のように、形象物１０の第１の部位（胴部１１）が第１位置（直立位置）から第２位置（傾斜位置）に変化したときに、第２位置（傾斜位置）に変化した形象物１０の第１の部位（胴部１１）の下側に位置するように支持部２０に設けられている。
【００１４】
《図１に示した動作玩具の使用例：図２および図３を参照》
図１に示した動作玩具は、支持部２０の軌道部２４の前後端に軌道部材ＴＭを着脱可能に接続することによって、走行玩具ＭＴ用の軌道玩具と成る。各軌道部材ＴＭには、接続したときに軌道部２４の溝２４ａと連続する溝（符号省略）が形成されている。走行玩具ＭＴは電車や自動車等の乗り物を模したものであり、好ましくはアニメーションや漫画や小説等に登場するキャラクターの他、動物等を模した小型形象物が乗せられている。
【００１５】
《図２および図３に示した使用例における形象物の基本動作：図４および図５を参照》
図１に示した動作玩具は、操作部３１への操作によって、形象物１０の第１の部位、すなわち、胴部１１が第１位置（直立位置）から第２位置（傾斜位置）に変化し得るように構成されている。
【００１６】
具体的には、前側の軌道部材ＴＭから支持部２０の軌道部２４に向かって走行する走行玩具ＭＴが操作部材３１を押圧し、この押圧により操作部材３１が初期位置から後側に約９０度回動すると、この操作部材３１の変位に基づいて、形象物１０の胴部１１が第１位置（直立位置、図３を参照）から第２位置（傾斜位置、図５を参照）に変化するように構成されている。
【００１７】
形象物１０の胴部１１の第１位置（直立位置）から第２位置（傾斜位置）への変化は、各脚部１５および１６に対し、胴部１１が回動軸線（図５を＋印を参照）を中心として前側に約４５度傾いて支持部２０に近付く動作である。また、図１に示したように、胴部１１の第１位置（直立位置）にあるときに各腕部１３および１４は胴部１１よりも前側に突出した形態を有しているため、胴部１１が第１位置（直立位置）から第２位置（傾斜位置）に変化すると、各腕部１３および１４は胴部１１よりも支持部２０に近付くように動作する。
【００１８】
つまり、支持部２０の軌道部２４を走行する走行玩具ＭＴが形象物１０に接近して操作部３１が操作されると、この操作に基づいて、形象物１０の胴部１１（頭部１２と各腕部１３および１４も）が走行玩具ＭＴに近付くように傾斜する。例えば、走行玩具ＭＴに乗せた小型形象物をアニメーションに登場する主人公を模したものとし、形象物１０を同アニメーションに登場する悪役を模したものとすれば、走行玩具ＭＴに乗っている主人公が悪役に脅かされている様子を前記傾斜によって表現して、形象物１０の動作に基づく楽しさおよび面白さを遊戯者に感じさせることができる。
【００１９】
形象物１０の動作に基づく楽しさおよび面白さをより一層のものとするには、走行玩具ＭＴによって操作部３１が操作される度に形象物１０の胴部１１を第１位置（直立位置）から第２位置（傾斜位置）に変化させるのではなく、操作部３１が操作されても形象物１０の胴部１１が第１位置（直立位置）から第２位置（傾斜位置）に変化しない場合を含むようにすることが好ましい。すなわち、操作部３１への操作が複数回繰り返されたときに形象物１０の胴部１１が第１位置（直立位置）から第２位置（傾斜位置）に変化するようにすれば、形象物１０の胴部１１を不意に変化させて遊戯者が感じる楽しさおよび面白さを高めることができる。
【００２０】
《図１に示した動作玩具の動作機構：図６（Ａ）〜図６（Ｇ）を参照）
形象物１０と支持部２０の内部には、操作部３１の変位に基づいて形象物１０の第１の部位、すなわち、胴部１１を第１位置（直立位置）から第２位置（傾斜位置）に変化させる動作機構（符号省略）が設けられている。
【００２１】
この動作機構は、主として、第１ギヤ３２と、第２ギヤ３３と、第３ギヤ３４と、第４ギヤ３５と、カム３６と、第１リンク３７と、第２リンク３８と、第３リンク３９と、第１シャフト４０と、第２シャフト４１とを有している。
【００２２】
図６（Ａ）は第１ギヤ３２と第２ギヤ３３と第３ギヤ３４と第４ギヤ３５とカム３６を上から見た図である。第１ギヤ３２と操作部３１は互いの回転軸線において連結されているため、第１ギヤ３２は操作部３１と同一方向に回転し得る。第１ギヤ３２は、その張り出し部３２ａと支持部２０内に設けられた突起３２ｃとの間に設けられた第１バネ（引きバネ）３２ｂによって、初期位置に復元できるように付勢されている。すなわち、操作部３１を操作して初期位置から後側に約９０度回転すると、第１バネ３２ｂの付勢力に抗して第１ギヤ３２は反時計回り方向に同一角度回転する。また、操作部３１への操作が解かれると、第１ギヤ３２（操作部３１も）は第１バネ３２ｂの付勢力によって時計回り方向に回転して初期位置に復帰する。
【００２３】
第２ギヤ３３と第３ギヤ３４は互いの回転軸線が一致するように一体化されている。第２ギヤ３３および第３ギヤ３４の回転軸線は第１ギヤ３２の回転軸線と平行であり、第２ギヤ３３は第１ギヤ３２に噛み合っている。また、第２ギヤ３３の直径は第１ギヤ３２および第３ギヤ３４の直径よりも大きく、第２ギヤ３３の歯数は第１ギヤ３２および第３ギヤ３４の歯数よりも多い。すなわち、第１ギヤ３２が操作部３１と一緒に半時計回り方向に約９０度回転しても、第２ギヤ３３と第３ギヤ３４はその数分の１しか時計回り方向に回転しない。
【００２４】
第４ギヤ３５とカム３６は互いの回転軸線が一致するように一体化されている。第４ギヤ３５およびカム３６の回転軸線は第２ギヤ３３および第３ギヤ３４の回転軸線と平行であり、第４ギヤ３５は第３ギヤ３４に噛み合っている。また、カム３６は、例えば３個の能動突起３６ａが円形部材の外周に異なる間隔で設けられている回転部材である。ここで、能動突起３６ａの数は３個に限定されるものではなく、商品仕様に合わせて複数の能動突起３６ａを設けることが可能である。
【００２５】
図６（Ｂ）はカム３６と第１リンク３７を上から見た図であり、図６（Ｃ）は第１リンク３７を左から見た図である。第１リンク３７はカム３６の上側に位置し、その下面前側に設けられた受動突起３７はカム３６の外周の前側に位置している。また、第１リンク３７はガイド孔３７ｂを有し、このガイド孔３７ｂには支持部２０内に設けられたガイド突起３７ｃが挿入されている。さらに、第１リンク３７の後部には、後記第２リンク３８の第１シャフト部３８ａが挿入されるシャフト孔３７ｄが設けられている。さらに、第１リンク３７は、その後端と支持部２０内に設けられた突起３７ｆとの間に設けられた第２バネ（引きバネ）３７ｅによって、後方に付勢されている。すなわち、第１リンク３７は、カム３６の能動突起３６ａによって受動突起３７ａが前方に押されたとき、第２バネ３７ｅの付勢力に抗して前方移動する。また、第１リンク３７は、能動突起３６ａによる受動突起３７ａの押圧が解かれると、第２バネ３７ｅの付勢力によって後方移動して復帰する。
【００２６】
図６（Ｄ）は第１リンク３７と第２リンク３８を左から見た図である。第２リンク３８は一端部に第１シャフト部３８ａを有し、他端部に第２シャフト部３８ｂを有しており、第１シャフト部３８ａは第１リンク３７のシャフト孔３７ｄに挿入されている。すなわち、第２リンク３８は、第１リンク３７の前方移動に伴って反時計回り方向に回転し、この回転に伴って第２シャフト部３８ｂが下方移動する。また、第２リンク３８は、第１リンク３７の後方移動に伴って時計回り方向に回転し、この回転に伴って第２シャフト部３８ｂは上方移動して復帰する。
【００２７】
図６（Ｅ）は第３リンク３９と第１シャフト４０を左から見た図である。第３リンク３９は第２リンク３８の上側に位置し、その下端部に設けられたシャフト孔３９ａには第２リンク３８の第２シャフト部３８ｂが挿入されている。また、第３リンク３９はガイド孔３９ｂを有し、このガイド孔３９ｂには第１脚部１５内に設けられたガイド突起３９ｃが挿入されている。さらに、第３リンク３７の上端には、第１シャフト４０の回転規制溝４０ａに係合する回転規制突起３９ｄが設けられている。さらに、第３リンク３９は、その下部と第１脚部１５内に設けられた突起３９ｆとの間に設けられた第３バネ（引きバネ）３９ｅによって、上方に付勢されている。すなわち、第３リンク３９は、第２リンク３８の反時計回り方向の回転に伴って第３バネ３９ｅの付勢力に抗して下方移動する。また、第３リンク３９は、第２リンク３８の時計回り方向の回転に伴って第３バネ３９ｅの付勢力によって上方移動して復帰する。一方、第１シャフト４０は、第２リンク３８の回転規制突起３９ｄが回転規制溝４０ａに係合しているときは時計回り方向に回転できないが、第２リンク３８が下方移動してその回転規制突起３９ｄが回転規制溝４０ａから外れると時計回り方向の回転が許容される。
【００２８】
図６（Ｆ）は第１シャフト４０を前から見た図である。第１シャフト４０は形象物１０の第１脚部１５の上部内に回転可能に配置されており、第１脚部１５から突出した角柱部分４０ｂ（例えば四角柱部分）が胴部１１の角形孔１１ａに挿入されている。すなわち、第１シャフト４０が回転できないときは胴部１１も回動できないが、第１シャフト４０の時計回り方向の回転を許容されると、胴部１１の時計回り方向の回動、すなわち、第１位置（直立位置）から第２位置（傾斜位置）への変化も許容される。図示を省略したが、第１シャフト４０と第１脚部１５には、形象物１０の胴部１１の後側への回動を規制する相互接触面と、形象物１０の胴部１１が第１位置（直立位置）から第２位置（傾斜位置）に変化したときに胴部１１を第２位置（傾斜位置）に保持する相互接触面が設けられている。
【００２９】
図６（Ｇ）は第２シャフト４１を前から見た図である。第２シャフト４１は形象物１０の第２脚部１６の上部内に固定配置されており、第２脚部１６から突出した円柱部分４１ａが胴部１１の円形孔１１ｂに挿入されている。すなわち、第２シャフト４１に対して胴部１１は回動を許容されている。また、第２シャフト４１の円柱部分４１ｂには、胴部１１を第１位置（直立位置）から第２位置（傾斜位置）に向かって付勢する第４バネ（ねじりバネ）４２が設けられている。
【００３０】
《図１に示した動作玩具の腕部支持機構：図６（Ｈ）および図６（Ｉ）を参照）
形象物１０の内部には、胴部１１に対して第１腕部１３および第２腕部１４を回動可能に支持する腕部支持機構（符号省略）が設けられている。
【００３１】
図６（Ｈ）は第１腕部１３側の腕部支持機構を前から見た図である。第１腕部１３の上部内には第３シャフト４３が固定配置されており、第１腕部１３から突出した円柱部分４３ａが胴部１１の円形孔１１ｃに挿入されている。すなわち、胴部１１に対して第１腕部１３は回動を許容されている。また、第３シャフト４３の円柱部分４３ａの周面には、胴部１１内に設けられた第５バネ（コイルバネ）４４の一端（図中は略半球状部材の先端）が押し付けられている。すなわち、第１腕部１３は、第５バネ４４の付勢力に抗して回動することができる。
【００３２】
図６（Ｉ）は第２腕部１４側の腕部支持機構を前から見た図である。第２腕部１４の上部内には第４シャフト４５が固定配置されており、第２腕部１４から突出した円柱部分４５ａが胴部１１の円形孔１１ｄに挿入されている。すなわち、胴部１１に対して第２腕部１４は回動を許容されている。また、第４シャフト４５の円柱部分４５ａの周面には、胴部１１内に設けられた第６バネ（コイルバネ）４６の一端（図中は略半球状部材の先端）が押し付けられている。すなわち、第２腕部１４は、第６バネ４６の付勢力に抗して回動することができる。
【００３３】
《図６に示した動作機構による形象物の動作：図７〜図９を参照》
操作部３１が初期位置から後側に約９０度回動すると（図７を参照）、この回動による回転変位Ｄ１によって第１ギヤ３２に回転変位Ｄ２が生じ、この回転変位Ｄ２によって第２ギヤ３３に回転変位Ｄ３が生じるとともに第３ギヤ３４に回転変位Ｄ４が生じる（図８（Ａ）を参照）。第２ギヤ３３の歯数は第１ギヤ３２および第３ギヤ３４の歯数よりも多いため、第３ギヤ３４の回転変位Ｄ４は第２ギヤ３３に回転変位Ｄ３よりも小さい。また、第３ギヤ３４の回転変位Ｄ４によって第４ギヤ３５およびカム３６に回転変位Ｄ５が生じる（図８（Ａ）を参照）。
【００３４】
続いて、この回転変位Ｄ５によってカム３６に設けられた３個の能動突起３６ａのうちの１つが第１リンク３７の能動突起３７ａを押圧すると、第１リンク３７に直線変位Ｄ６が生じる（図８（Ｂ）を参照）。続いて、この直線変位Ｄ６によって第２リンク３８に回転変位Ｄ７が生じる（図８（Ｃ）を参照）。
【００３５】
続いて、この回転変位Ｄ７によって第３リンク３９に直線変位Ｄ８が生じ、第３リンク３９の回転規制突起３９ｄが第１シャフト４０の回転規制溝４０ａから外れる（図８（Ｄ）を参照）。これにより第１シャフト４０の回転変位Ｄ９が許容されるとともに胴部１１の回動変位も許容される。換言すれば、第３リンク３９とシャフト４０は、形象物１０の胴部１１を第１位置（直立位置）に保持し、かつ、第１位置（直立位置）の保持を解除して第２位置（傾斜位置）への変化を許容する位置制御機構に相当する。
【００３６】
胴部１１の回動変位が許容されると、胴部１１は第４バネ４２（図６（Ｇ）を参照）の付勢力を初期動力して前側に傾斜する（図９を参照）。この傾斜角度は、先に述べた胴部１１を第２位置（傾斜位置）に保持する相互接触面によって制限されるため、前側に傾斜する胴部１１は、制限角度（約４５度）に達したところで停止する（図９を参照）。
【００３７】
このように、第１位置から前記第２位置に変化させる動作機構に含まれたカム３６が、円形部材の外周に間隔が異なるように配置された複数の能動突起３６ａを有する回転部材であり、複数の能動突起３６ａの何れかと第１の部位を第１位置から前記第２位置に変化させる動作部材（第３リンク３９、シャフト４０、第４バネ４２等を含む）が間接的に当接するため、第１位置から第２位置への変化が操作部３１への特定回数の操作毎に生じることがない。動作玩具がこのような特徴をもつことにより、遊戯者は第１位置から第２位置への変化が生じるタイミングを容易に予想することができず、それゆえ、第１位置から第２位置への変化を意外性をもって楽しむことが可能となるため、より興趣性のある動作玩具を実現することが可能となる。ここで、能動突起３６ａと動作部材の当接を間接的である、としたが、もちろんこれに限定されるものではなく、能動突起３６ａと動作部材が直接的に当接させる仕様とすることも可能である。
【００３８】
ここで前記動作機構について補足する。操作部３１は初期位置から後側への約９０度回動とその後の自動復帰を可能としているため、操作部３１への操作が複数回繰り返されたときに形象物１０の胴部１１を第１位置（直立位置）から第２位置（傾斜位置）に変化するようにするには、図８（Ａ）におけるカム３６の時計回り方向の回転（回転変位Ｄ５とは逆方向の回転）を抑制する差動機構を設けることが望ましい。
【００３９】
この差動機構には幾つかの方式を採用することができる。例えば、１つ目の方式は、第１ギヤ３２と第２ギヤ３３の噛み合わせを緩くし、かつ、第２ギヤ３３の回転抵抗を高くして、第１ギヤ３２が回転変位Ｄ２（図８（Ａ）を参照）を生じた後に復帰するときに第１ギヤ３２と第２ギヤ３３との間に滑りが生じるようにする方式である。２つ目の方式は、第２ギヤ３３と第３ギヤ３４との間にワンウェイクラッチを介在させて、第２ギヤ３３が回転変位Ｄ３（図８（Ａ）を参照）を生じた後に復帰するときに第３ギヤ３４が連動して復帰しないようにする方式である。３つ目の方式は、第４ギヤ３５とカム３６との間にワンウェイクラッチを介在させて、第４ギヤ３５が回転変位Ｄ５（図８（Ａ）を参照）を生じた後に復帰するときにカム３６が連動して復帰しないようにする方式である。
【００４０】
《図６に示した腕部支持機構による腕部の動作：図１０を参照》
先に述べたように第１腕部１３は第５バネ４４の付勢力下で胴部１１に対する回動を許容され、第２腕部１４は第６バネ４６の付勢力下で胴部１１に対する回動を許容されているため、形象物１０の胴部１１が第１位置（直立位置）にある状態では、手動によって第１腕部１３を第５バネ４４の付勢力に抗して任意に回動変位させることができるとともに、手動によって第２腕部１４を第６バネ４６の付勢力に抗して任意に回動変位させることができる（図１０（Ａ）を参照）。すなわち、第１腕部１３の初期位置と第２腕部１４の初期位置を好みに応じて変更することができる。
【００４１】
また、第１腕部１３側の第３シャフト４３の円柱部分４３ａの周面に、第５バネ４４の一端（図中は略半球状部材の先端）が嵌まり込む凹部（図示省略）を等角度間隔で形成し、かつ、第２腕部１４側の第４シャフト４５の円柱部分４５ａの周面に、第６バネ４６の一端（図中は略半球状部材の先端）が嵌まり込む凹部（図示省略）を等角度間隔で形成しておけば、前記の回動変位を所望の角度単位で行うこともできる。
【００４２】
さらに、第１腕部１３側の第５バネ４４の付勢力と第２腕部１４側の第６バネ４６の付勢力を調整することにより、前述の動作機構によって形象物１０の胴部１１が第１位置（直立位置）から第２位置（傾斜位置）に変化したときの慣性力によって、第１腕部１３と第２腕部１４を胴部１１と同一方向に回動変位させることもできる（図１０（Ｂ）を参照）。
【００４３】
《変形例》
〈変形例１〉図面、特に図１には、形象物１０として胴部１１と頭部１２と第１腕部１３と第２腕部１４と第１脚部１５と第２脚部１６とを有するものを示したが、第１の部位と第２の部位とを有するものであれば形象物に特段の制限は無い。図示した形象物１０は第１脚部１５および第２脚部１６が第２の部位に相当し、胴部１１が第１の部位に相当するものであるため、例えば頭部１２と第１腕部１３および第２腕部１４は排除したようなものや、頭部１２と第１腕部１３および第２腕部１４と一方の脚部を排除したようなものを、形象物として用いることも可能である。
【００４４】
〈変形例２〉図面、特に図１には、操作部３１として略矩形板状を成すものを示したが、外力による操作が可能なものであればその形状に特段の制限はない。例えば、図２および図３に示した使用例のように走行玩具ＭＴによって操作部３１を操作する場合には、操作部３１を略矩形板状以外の略三角形状や略半円形状や略Ｌ字形の棒状としても同様の操作は可能である。
【００４５】
〈変形例３〉図面、特に図６および図８には、操作部３１の変位に基づいて形象物１０の第１の部位（胴部１１）を第１位置（直立位置）から第２位置（傾斜位置）に変化させる動作機構を示したが、同様の動作が可能であれば動作機構に特段の制限はない。また、第１位置が直立位置であれば傾斜状態となる第２位置への形象物１０の変化が遊戯者に認識され易いものとなるため、前述の実施例においては、第１位置が直立位置であるものとして記載しているが、変化前の第１の位置から変化後の第２の位置へと変化が遊戯者に認識できる動作玩具であれば、第１位置が直立位置であることに限定されるものではなく、第１位置を傾斜位置とすることも可能である。さらに、胴部１１を安定的に第１位置から第２位置へ変化させるために、第１脚部１５および第２脚部１６が支持部２０に対して固定されていることが好ましいが、それに限定されるものではなく、胴部１１の安定的な位置変化を実現できるのであれば、例えば、第１脚部１５および第２脚部１６が支持部２０に対して回動可能に設けられる等、第１脚部１５および第２脚部１６を支持部２０に対して可動にすることも可能である。
【符号の説明】
【００４６】
１０…形象物、１１…胴部、１２…頭部、１３…第１腕部、１４…第２腕部、１５…第１脚部、１６…第２脚部、２０…支持部、２１…底部、２２…第１頂部、２３…第２頂部、２４…軌道部、３１…操作部、３２…第１ギヤ、３２ｂ…第１バネ、３３…第２ギヤ、３４…第３ギヤ、３５…第４ギヤ、３６…カム、３７…第１リンク、３７ｅ…第２バネ、３８…第２リンク、３９…第３リンク、３９ｅ…第３バネ、４０…第１シャフト、４１…第２シャフト、４２…第４バネ、４３…第３シャフト、４４…第５バネ、４５…第４シャフト、４６…第４バネ、ＭＴ…走行玩具、ＴＭ…軌道部材。
【図１】
2018192344.tif 000003
【図２】
2018192344.tif 000004
【図３】
2018192344.tif 000005
【図４】
2018192344.tif 000006
【図５】
2018192344.tif 000007
【図６】
2018192344.tif 000008
【図７】
2018192344.tif 000009
【図８】
2018192344.tif 000010
【図９】
2018192344.tif 000011
【図１０】
2018192344.tif 000012